【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
プラスイオンとマイナスイオンを発生する第１の発生手段と、マイナスイオンを発生する第２の発生手段と、前記第１の発生手段と前記第２の発生手段とを切り換える切換手段とを備え、
前記第１の発生手段及び前記第２の発生手段が、
誘電体と、
該誘電体を挟んで対向する一対の電極と、
交流電圧を整流かつ平滑化する整流平滑化回路と、
スイッチングトランジスタと、
一次側巻線が前記スイッチングトランジスタを介して前記整流平滑化回路に接続され、二次側巻線の一端が前記一対の電極の一方に接続され、二次側巻線の他端が前記一対の電極の他方に接続されるスイッチングトランスと、を備え、
前記切換手段が、
前記スイッチングトランスの二次側巻線の一端と前記一対の電極の一方との接続ノードにアノードが接続され、カソードが接地されるダイオードと、
該ダイオードの両端に接続されるスイッチング手段と、を備え、
前記一対の電極が外気と接する外電極と外気に接しない内電極から成り、前記外電極に前記ダイオードのアノードが接続されることを特徴とするイオン発生装置。
【請求項２】
プラスイオンとマイナスイオンを発生する第１の発生手段と、マイナスイオンを発生する第２の発生手段と、前記第１の発生手段と前記第２の発生手段とを切り換える切換手段とを備え、
前記第１の発生手段及び前記第２の発生手段が、
誘電体と、
該誘電体を挟んで対向する一対の電極と、
交流電圧を整流かつ平滑化する整流平滑化回路と、
スイッチングトランジスタと、
一次側巻線が前記スイッチングトランジスタを介して前記整流平滑化回路に接続され、二次側巻線の一端が前記一対の電極の一方に接続され、二次側巻線の他端が前記一対の電極の他方に接続されるスイッチングトランスと、を備え、
前記切換手段が、
前記スイッチングトランスの二次側巻線の一端と前記一対の電極の一方との接続ノードにアノードが接続され、カソードが接地されるダイオードと、
該ダイオードの両端に接続されるスイッチング手段と、を備え、
前記一対の電極のうち外気と接するとともにスイッチング手段がＯＮ状態のときに接地される電極に前記ダイオードのアノード側が接続されることを特徴とするイオン発生装置。
【請求項３】
イオン発生装置が駆動しているときに発光する発光手段と、該発光手段の駆動を停止させることができる停止手段と、を備える請求項１又は請求項２に記載のイオン発生装置。
【請求項４】
請求項１〜３のいずれか１つに記載のイオン発生装置を備えることを特徴とする空気調節装置。
【手続補正２】
【補正対象書類名】明細書
【補正対象項目名】０００７
【補正方法】変更
【補正の内容】
【０００７】
【課題を解決するための手段】
上記目的を達成するために、本発明に係るイオン発生装置においては、プラスイオンとマイナスイオンを発生する第１の発生手段と、マイナスイオンを発生する第２の発生手段と、前記第１の発生手段と前記第２の発生手段とを切り換える切換手段とを備え、前記第１の発生手段及び前記第２の発生手段が、誘電体と、該誘電体を挟んで対向する一対の電極と、交流電圧を整流かつ平滑化する整流平滑化回路とスイッチングトランジスタと、一次側巻線が前記スイッチングトランジスタを介して前記整流平滑化回路に接続され、二次側巻線の一端が前記一対の電極の一方に接続され、二次側巻線の他端が前記一対の電極の他方に接続されるスイッチングトランスと、を備え、前記切換手段が、前記スイッチングトランスの二次側巻線の一端と前記一対の電極の一方との接続ノードにアノードが接続され、カソードが接地されるダイオードと、該ダイオードの両端に接続されるスイッチング手段と、を備え、前記一対の電極が外気と接する外電極と外気に接しない内電極から成り、前記外電極に前記ダイオードのアノードが接続されるようにする。また、上記目的を達成するために、本発明に係るイオン発生装置においては、プラスイオンとマイナスイオンを発生する第１の発生手段と、マイナスイオンを発生する第２の発生手段と、前記第１の発生手段と前記第２の発生手段とを切り換える切換手段とを備え、前記第１の発生手段及び前記第２の発生手段が、誘電体と、該誘電体を挟んで対向する一対の電極と、交流電圧を整流かつ平滑化する整流平滑化回路と、スイッチングトランジスタと、一次側巻線が前記スイッチングトランジスタを介して前記整流平滑化回路に接続され、二次側巻線の一端が前記一対の電極の一方に接続され、二次側巻線の他端が前記一対の電極の他方に接続されるスイッチングトランスと、を備え、前記切換手段が、前記スイッチングトランスの二次側巻線の一端と前記一対の電極の一方との接続ノードにアノードが接続され、カソードが接地されるダイオードと、該ダイオードの両端に接続されるスイッチング手段と、を備え、前記一対の電極のうち外気と接するとともにスイッチング手段がＯＮ状態のときに接地される電極に前記ダイオードのアノード側が接続されるようにしてもよい。
【手続補正３】
【補正対象書類名】明細書
【補正対象項目名】０００９
【補正方法】変更
【補正の内容】
【０００９】
また、本発明に係る空気調節装置は上記構成のイオン発生装置を備える構成としている。
【手続補正４】
【補正対象書類名】明細書
【補正対象項目名】００６３
【補正方法】変更
【補正の内容】
【００６３】
【発明の効果】
本発明によると、イオン発生装置が、プラスイオンとマイナスイオンを発生する第１の発生手段と、マイナスイオンを発生する第２の発生手段と、前記第１の発生手段と前記第２の発生手段とを切り換える切換手段とを備え、前記第１の発生手段及び前記第２の発生手段が、誘電体と、該誘電体を挟んで対向する一対の電極と、交流電圧を整流かつ平滑化する整流平滑化回路とスイッチングトランジスタと、一次側巻線が前記スイッチングトランジスタを介して前記整流平滑化回路に接続され、二次側巻線の一端が前記一対の電極の一方に接続され、二次側巻線の他端が前記一対の電極の他方に接続されるスイッチングトランスと、を備え、前記切換手段が、前記スイッチングトランスの二次側巻線の一端と前記一対の電極の一方との接続ノードにアノードが接続され、カソードが接地されるダイオードと、該ダイオードの両端に接続されるスイッチング手段と、を備え、前記一対の電極が外気と接する外電極と外気に接しない内電極から成り、前記外電極に前記ダイオードのアノードが接続されるので、リラクゼーション効果が得られるマイナスイオンを発生させる運転と、殺菌効果が得られるマイナスイオンとプラスイオンを発生させる運転とを切り替えることができる。
【手続補正５】
【補正対象書類名】明細書
【補正対象項目名】００６４
【補正方法】変更
【補正の内容】
【００６４】
また、本発明によると、イオン発生装置が、プラスイオンとマイナスイオンを発生する第１の発生手段と、マイナスイオンを発生する第２の発生手段と、前記第１の発生手段と前記第２の発生手段とを切り換える切換手段とを備え、前記第１の発生手段及び前記第２の発生手段が、誘電体と、該誘電体を挟んで対向する一対の電極と、交流電圧を整流かつ平滑化する整流平滑化回路と、スイッチングトランジスタと、一次側巻線が前記スイッチングトランジスタを介して前記整流平滑化回路に接続され、二次側巻線の一端が前記一対の電極の一方に接続され、二次側巻線の他端が前記一対の電極の他方に接続されるスイッチングトランスと、を備え、前記切換手段が、前記スイッチングトランスの二次側巻線の一端と前記一対の電極の一方との接続ノードにアノードが接続され、カソードが接地されるダイオードと、該ダイオードの両端に接続されるスイッチング手段と、を備え、前記一対の電極のうち外気と接するとともにスイッチング手段がＯＮ状態のときに接地される電極に前記ダイオードのアノード側が接続されるので、リラクゼーション効果が得られるマイナスイオンを発生させる運転と、殺菌効果が得られるマイナスイオンとプラスイオンを発生させる運転とを切り替えることができる。
【手続補正６】
【補正対象書類名】明細書
【補正対象項目名】００６５
【補正方法】削除
【補正の内容】
【手続補正７】
【補正対象書類名】明細書
【補正対象項目名】００６８
【補正方法】削除
【補正の内容】